(57)【要約】      （修正有）【課題】絶縁ガラス板３が框の縦断面１に接着されている窓，ドア，建物の正面又は温室の提供。【解決手段】包囲するシーリングリップ２が、この框の縦断面１の底１ａに設けられている。このシーリングリップ（２）は、ガラス板（３ａ）の前面まで突出しかつ目標傾き位置を有し得る。接着剤 １ｃ 用の収容空間１ｂが、これによって仕切られている。【選択図】図１
2006118347.tif 000002
【特許請求の範囲】
【請求項１】
この絶縁ガラス板が扉枠の縦断面内で前面を包囲する接着層によってこの框の縦断面に接合されているこの絶縁ガラス板を有する窓，ドア，建物の正面又は温室において、包囲するシーリングリップ（２）が、框の縦断面（１）の縦断面溝の底（１ａ）に設けられていて、このシーリングリップ（２）は、少なくとも絶縁ガラス板（３）の前面（３ａ）まで突出し、底（１ａ）と絶縁ガラス板（３）との間の収容空間（１ｂ）を仕切り、このシーリングリップ（２）は、共押し出し成形又はポスト共押し出し成形されて框の縦断面（１）の底（１ａ）の横でこの框の縦断面（１）に接合されていて、この場合、このシーリングリップ（２）は、框の縦断面（１）の底（１ａ）内の包囲する溝に沿って挿入されていることを特徴とする窓等。
【請求項２】
シーリングリップ（２）は、異なるショア硬度を有することを特徴とする請求項１に記載の窓等。
【請求項３】
シーリングリップ（２）は、目標傾き位置を有することを特徴とする請求項１又は２に記載の窓等。
【請求項４】
框の縦断面（１）は、塩化ポリビニールから製造されている請求項１〜３のいずれか１項に記載の窓等。
【発明の詳細な説明】
【技術分野】
【０００１】
本発明は、絶縁ガラス板を有する窓又はドアに関する。この絶縁ガラス板は、扉枠の縦断面内で前面を包囲する接着層によってこの框の縦断面に接合されている。
【背景技術】
【０００２】
窓の框に接着された絶縁ガラス板が公知である。この場合、接着が、ガラス溝に沿って実施される。
【０００３】
この場合に使用されるいわゆるぼかし絶縁ガラス板は、そのために最初にエナメリング法による経費のかかる方法ステップで不透明に色づけされる必要がある。したがって、効率的な製造は不可能である。
【０００４】
別の方法、例えばオーストリア特許第４１０  ４６３号明細書では、扉の溝に沿って直立して固定された枠材から形成された接着剤用の仕切ウェブが記されている。この仕切ウェブは、絶縁ガラス板の前面と扉溝との間の隙間のほぼ中央まで突出している。この場合、このウェブと絶縁ガラス板の前面との間の接合は存在しない。しかしながら、このような窓扉は、いろいろな欠点を伴う。
【０００５】
仕切ウェブは、絶縁ガラス板に対する許容差を非常に制限する。すなわち、絶縁ガラス板は、その対角線並びに幅及び長さの寸法においていろいろな許容差に曝される。これによって、ガラス板を差し込んだ時に、このガラス板が、ガラス溝に接触することが起こりうる。このことは、破損を伴いうる。さらにこの種類の窓扉の場合は、全面を包囲する接着だけが実施され得る。何故なら、そうでない場合に、扉カバーのシールを通じて場合によっては入って来る水が、いわゆる漏れ水として仕切ウェブを越えてガラス溝内に吹き付き、ガラス溝領域内に集まり、ガラス押縁内に流れ込み、このガラス押縁から窓枠の内部空間内に阻止されずに進行するからである。このことは、全ての場合に窓の不調を伴う。ガラス板を接着してはいけなくて、従来の方法で例えば特別なブロックブリッジで取付けるべき場合、仕切ウェブが、このウェブ用の特別な凹部なしには通常のブロックブリッジの取付けを許可しないので、特別に作製すべきブロックブリッジが必要である。
【特許文献１】オーストリア特許第４１０  ４６３号明細書
【発明の開示】
【発明が解決しようとする課題】
【０００６】
本発明の課題は、絶縁ガラス板を框の縦断面のガラス溝に接着した窓等を提供することにある。この発明は、この種類の公知の窓の欠点を確実に回避し、浸入する湿気又は水分をシールで阻止し、塗布すべき接着剤の高さを制限し、絶縁ガラス板の従来のブロック取付けを全ての追加の経費なしに市販のブロックブリッジで可能にする。
【課題を解決するための手段】
【０００７】
この課題は、本発明により、上位概念の特徴に関連する請求項１の特徴に記載の窓，ドア，建物の正面，温室等によって解決される。
【０００８】
本発明によって実現される利点は、従来の技術の欠点を回避する点以外に、絶縁ガラス板の前面及び収容隙間内に塗布された接着剤の前面をガラス溝に沿って取り付けられた包囲するシーリングリップによって浸入する湿気及び水分から保護する点、さらに大量の接着剤によって引き起こされる高圧時に、シーリングリップが、絶縁ガラス板の前面とガラス溝の底との間の隙間内の接着剤の高さを特定の下方への倒れによって制限し、これによって接着剤が框の縦断面の排水領域内に流出することを可能にする点にある。したがって、打ち付ける雨又は都合の悪い圧力条件によって引き起こされる漏れ水が、ガラス押縁の溝の領域内及び縦断面の内部空間内に到達しない。さらに、シーリングリップの密閉作用のために、湿気に弱いより簡単な接着剤も使用できる点が利点である。本発明のもう１つの利点は、絶縁ガラス板の場合によっては起こりうる許容差が、絶縁ガラス板の前面とガラス溝との間の連続した同じ間隔によって補償される点にある。水分が接着剤まで浸入できないシーリングリップの密閉作用のために、接着剤の分解が長年の使用後も発生しないことが保証され、窓等の利用が保障されている。
【０００９】
一家に、本発明を図中に示された実施の形態に基づいて詳しく説明する。
【発明を実施するための最良の形態】
【００１０】
図１は、ガラス溝１ａ，接着剤１ｃ用の収容空間１ｂ及び場合によっては浸入する湿気用の排水路１ｄを有する框の縦断面を示す。図中に示されているように、シーリングリップ２が、ガラス溝１ａの左端部に存在する。このシーリングリップ２は、異なるショア硬度を有し得てかつ目標傾き位置を有する。圧力が大量の塗布された接着剤によって高い場合、この目標傾き位置は、外側に移動して排水路１ｄの排水領域内への通路を解放する。一方で特にシーリングリップ２は、場合によっては起こりうるガラスシーリングを通じた接着剤１ｃまでの水分又は湿気の浸入を阻止するために使用される。このことは、打ち付ける雨、強い風及び都合の悪い圧力条件で特に重要である。シーリングリップ２は、ガラス溝１ａの左端部から少なくとも絶縁ガラス板３の全面３ａまで突出している。したがって、ガラス溝と絶縁ガラス板３の前面との間の距離は約３mmであるので、絶縁ガラス板３の製造許容差も排除される。ガラス押縁が、４で示されている。
【００１１】
本発明によって提唱されている手段は、窓扉，固定窓，ドア，建物の正面及び温室でも有効に使用され得る。したがって扉又は枠は、材料に関係なく枠のない構造さえも可能である。
【図面の簡単な説明】
【００１２】
【図１】ガラス溝１ａ，接着剤１ｃ用の収容空間１ｂ及び場合によっては浸入する湿気用の排水路１ｄを有する框の縦断面を示す
【符号の説明】
【００１３】
１    框の縦断面
１ａ  ガラス溝
１ｂ  接着剤用収容空間
１ｃ  接着剤
１ｄ  排水路
２    シーリングリップ
３    絶縁ガラス板
３ａ  絶縁ガラス板の前面
４    ガラス押縁
【図１】
2006118347.tif 000003